【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
無線通信デバイスによって、ブロードキャストメッセージを端末デバイスに送信するステップであって、前記ブロードキャストメッセージが、前記無線通信デバイスのデバイス識別情報を含む、ステップと、
前記無線通信デバイスによって、前記端末デバイスによって送信された走査要求メッセージを受信するステップと、
前記走査要求メッセージを受信することに応答して、前記無線通信デバイスによって、走査応答メッセージを前記端末デバイスに送信するステップであって、前記走査応答メッセージが、前記無線通信デバイスと関連付けられた属性データを含み、前記属性データが、前記無線通信デバイスの物理的な場所と関連付けられたコンテンツの識別情報を含む、ステップと
を含む、無線通信方法。
【請求項２】
前記デバイス識別情報が、ＵＵＩＤ（Universally Unique Identifier）、MajorIDおよびMinorIDの少なくとも１つを含む、請求項１に記載の方法。
【請求項３】
前記無線通信デバイスによって、前記コンテンツが変化した際に前記属性データを更新するステップと、
別の走査要求メッセージを受信した際に、更新された走査応答メッセージを送信するステップと
をさらに含む、請求項１に記載の方法。
【請求項４】
前記走査応答メッセージが、前記無線通信デバイスを識別するための第２の識別情報をさらに含む、請求項１に記載の方法。
【請求項５】
前記第２の識別情報が、MajorIDおよびMinorIDの少なくとも１つを含む、請求項４に記載の方法。
【請求項６】
前記無線通信デバイスによって、前記デバイス識別情報をサーバに登録するステップ
をさらに含む、請求項１に記載の方法。
【請求項７】
端末デバイスによって、無線通信デバイスによって送信されたブロードキャストメッセージを受信するステップであって、前記ブロードキャストメッセージが、前記無線通信デバイスのデバイス識別情報を含む、ステップと、
前記ブロードキャストメッセージを受信した後で、前記端末デバイスによって、走査要求メッセージを前記無線通信デバイスに送信するステップと、
前記端末デバイスによって、前記無線通信デバイスによって送信された走査応答メッセージを受信するステップであって、前記走査応答メッセージが、前記無線通信デバイスと関連付けられた属性データを含み、前記属性データが、前記無線通信デバイスの物理的な場所と関連付けられたコンテンツの識別情報を含む、ステップと、
前記端末デバイスによって、前記属性データに基づいて前記コンテンツを取得するステップと
を含む、無線通信方法。
【請求項８】
前記デバイス識別情報が、ＵＵＩＤ（Universally Unique Identifier）、MajorIDおよびMinorIDの少なくとも１つを含む、請求項７に記載の方法。
【請求項９】
前記走査応答メッセージが、前記無線通信デバイスを識別するための第２の識別情報をさらに含み、前記方法が、 
前記ブロードキャストメッセージの前記デバイス識別情報および前記走査応答メッセージの前記第２の識別情報に基づいて、前記無線通信デバイスの識別情報を決定するステップと、
前記無線通信デバイスの前記識別情報に基づいてデータベースを検索するステップであって、前記データベースが、前記無線通信デバイスの前記識別情報と前記無線通信デバイスの前記物理的な場所との間のマッピング関係を含む、ステップと、
前記無線通信デバイスの前記物理的な場所に基づいて、前記端末デバイスの場所を決定するステップと
をさらに含む、請求項７に記載の方法。
【請求項１０】
前記第２の識別情報が、MajorIDおよびMinorIDの少なくとも１つを含む、請求項９に記載の方法。
【請求項１１】
無線通信デバイスによって、ブロードキャストメッセージを端末デバイスに送信するステップであって、前記ブロードキャストメッセージが、前記無線通信デバイスのデバイス識別情報を含む、ステップと、
前記無線通信デバイスによって、前記端末デバイスによって送信された走査要求メッセージを受信するステップであって、前記走査要求メッセージが、メディア情報再生デバイスで再生されているメディア情報と関連付けられたコンテンツの取得を求める要求を含み、前記メディア情報再生デバイスが、前記コンテンツの識別情報を含む対応テーブルを格納する、ステップと、
前記対応テーブルに従って、前記コンテンツの前記識別情報を決定するステップと、
前記走査要求メッセージを受信することに応答して、前記無線通信デバイスによって、走査応答メッセージを前記端末デバイスに送信するステップであって、前記走査応答メッセージが、前記コンテンツの前記識別情報を含む、ステップと
を含む、無線通信方法。
【請求項１２】
前記対応テーブルに格納された前記識別情報が、前記コンテンツと関連付けられたネットワークアドレスを含み、前記走査応答メッセージが、前記ネットワークアドレスを含む、請求項１１に記載の方法。
【請求項１３】
前記対応テーブルに格納された前記識別情報が、前記コンテンツと関連付けられた識別（ＩＤ）情報を含み、前記走査応答メッセージが、前記ＩＤ情報を含み、前記ＩＤ情報と前記コンテンツと関連付けられたネットワークアドレスとの間の関連付け関係が、サーバ上に事前に格納される、請求項１１に記載の方法。
【請求項１４】
無線通信デバイスであって、
ブロードキャストメッセージを端末デバイスに送信するように構成された送信ユニットであって、前記ブロードキャストメッセージが、前記無線通信デバイスのデバイス識別情報を含む、送信ユニットと、
前記端末デバイスによって送信された走査要求メッセージを受信するように構成された受信ユニットと
を含み、前記送信ユニットが、前記走査要求メッセージを受信することに応答して、走査応答メッセージを前記端末デバイスに送信するようにさらに構成され、前記走査応答メッセージが、前記無線通信デバイスと関連付けられた属性データを含み、前記属性データが、前記無線通信デバイスの物理的な場所と関連付けられたコンテンツの識別情報を含む、無線通信デバイス。
【請求項１５】
前記コンテンツが変化した際に前記走査応答メッセージの前記属性データを更新するように構成された更新ユニット 
をさらに含み、前記送信ユニットが、前記受信ユニットが別の走査要求メッセージを受信した際に、更新された走査応答メッセージを送信するようにさらに構成される、請求項１４に記載の無線通信デバイス。
【請求項１６】
無線通信デバイスによって送信されたブロードキャストメッセージを受信するように構成された受信ユニットであって、前記ブロードキャストメッセージが、前記無線通信デバイスのデバイス識別情報を含む、受信ユニットと、
前記受信ユニットが前記ブロードキャストメッセージを受信した後で、走査要求メッセージを前記無線通信デバイスに送信するように構成された送信ユニットであって、前記受信ユニットが、前記無線通信デバイスによって送信された走査応答メッセージを受信するようにさらに構成され、前記走査応答メッセージが、前記無線通信デバイスと関連付けられた属性データを含み、前記属性データが、前記無線通信デバイスの物理的な場所と関連付けられたコンテンツの識別情報を含む、送信ユニットと、
前記属性データに基づいて前記コンテンツを取得するように構成された取得ユニットとを含む、端末デバイス。
【請求項１７】
前記走査応答メッセージが、前記無線通信デバイスの第２の識別情報をさらに含み、前記端末デバイスが、
前記ブロードキャストメッセージの前記デバイス識別情報および前記走査応答メッセージの前記第２の識別情報に基づいて、前記無線通信デバイスの前記識別情報を決定するように構成された決定ユニットと、
前記無線通信デバイスの前記識別情報に基づいてデータベースを検索し、前記端末デバイスの場所を決定するように構成された検索ユニットであって、前記データベースが、前記無線通信デバイスの前記識別情報と前記無線通信デバイスの前記物理的な場所との間のマッピング関係を含む、検索ユニットと、
をさらに含む、請求項１６に記載の端末デバイス。
【請求項１８】
無線通信デバイスであって、
ブロードキャストメッセージを端末デバイスに送信するように構成された送信ユニットであって、前記ブロードキャストメッセージが、前記無線通信デバイスのデバイス識別情報を含む、送信ユニットと、
前記端末デバイスによって送信された走査要求メッセージを受信するように構成された受信ユニットであって、前記走査要求メッセージが、メディア情報再生デバイスで再生されているメディア情報と関連付けられたコンテンツの取得を求める要求を含み、前記メディア情報再生デバイスが、前記コンテンツの識別情報を含む対応テーブルを格納する、受信ユニットと、
前記対応テーブルに従って、前記コンテンツの前記識別情報を決定するように構成された処理ユニットと
を含み、前記送信ユニットが、前記走査要求メッセージを受信することに応答して、走査応答メッセージを前記端末デバイスに送信するようにさらに構成され、前記走査応答メッセージが、前記コンテンツの前記識別情報を含む、無線通信デバイス。
【請求項１９】
前記対応テーブルに格納された前記識別情報が、前記コンテンツと関連付けられたネットワークアドレスを含み、前記走査応答メッセージが、前記ネットワークアドレスを含む、請求項１８に記載の無線通信デバイス。
【請求項２０】
前記対応テーブルに格納された前記識別情報が、前記コンテンツと関連付けられた識別（ＩＤ）情報を含み、前記走査応答メッセージが、前記ＩＤ情報を含み、前記ＩＤ情報と前記コンテンツと関連付けられたネットワークアドレスとの間の関連付け関係が、サーバ上に事前に格納される、請求項１８に記載の無線通信デバイス。
【請求項２１】
命令を記憶する非一時的コンピュータ可読媒体であって、前記命令は、無線通信デバイスの１つまたは複数のプロセッサによって、前記無線通信デバイスに無線通信方法を実行させるように、実行可能であり、前記方法は、
ブロードキャストメッセージを端末デバイスに送信するステップであって、前記ブロードキャストメッセージが、前記無線通信デバイスのデバイス識別情報を含む、ステップと、
前記端末デバイスによって送信された走査要求メッセージを受信するステップと、
前記走査要求メッセージを受信することに応答して、走査応答メッセージを前記端末デバイスに送信するステップであって、前記走査応答メッセージが、前記無線通信デバイスと関連付けられた属性データを含み、前記属性データが、前記無線通信デバイスの物理的な場所と関連付けられたコンテンツの識別情報を含む、ステップと
を含む、非一時的コンピュータ可読媒体。
【請求項２２】
命令を記憶する非一時的コンピュータ可読媒体であって、前記命令は、端末デバイスの１つまたは複数のプロセッサによって、前記端末デバイスに無線通信方法を実行させるように、実行可能であり、前記方法は、
無線通信デバイスによって送信されたブロードキャストメッセージを受信するステップであって、前記ブロードキャストメッセージが、前記無線通信デバイスのデバイス識別情報を含む、ステップと、
前記ブロードキャストメッセージを受信した後で、走査要求メッセージを前記無線通信デバイスに送信するステップと、
前記無線通信デバイスによって送信された走査応答メッセージを受信するステップであって、前記走査応答メッセージが、前記無線通信デバイスと関連付けられた属性データを含み、前記属性データが、前記無線通信デバイスの物理的な場所と関連付けられたコンテンツの識別情報を含む、ステップと、
前記属性データに基づいて前記コンテンツを取得するステップと
を含む、非一時的コンピュータ可読媒体。